(57)【要約】      （修正有）【課題】充電可能な二次電池を備え、二次電池の充電量を簡単な構成で利用者に知らせることが可能な照明器具及び電子機器を提供する。【解決手段】制御回路は、二次電池の充電量を検出している。利用者がスイッチ２０を２回押下し、充電量表示モードに移行すると、制御回路は、照明部１４ａ〜１４ｊを全数点灯させる。次に、検出した上記充電量に対応した個数の照明部のみを点灯させ、残りの照明部は消灯させる。このような表示によって、利用者は、二次電池の充電量が、全充電状態に対して何割程度の充電量であるのかを、直感的に把握しやすくなる。【選択図】図１
0003195209.tif 000002
【実用新案登録請求の範囲】
【請求項１】
発光する複数個の照明部と、
前記照明部に発光のため電力を供給する、充電可能な二次電池と、
前記二次電池の充電量を検出し、検出した充電量に対応した個数の前記照明部を点灯させる制御手段と、
を含むことを特徴とする照明器具。
【請求項２】
請求項１記載の照明器具において、
前記制御手段は、前記検出した充電量に比例した個数の前記照明部を点灯させることを特徴とする照明器具。
【請求項３】
請求項１又は２記載の照明器具において、
前記制御手段は、前記複数個の照明部を全数点灯させてから、１個ずつ順番に消灯させていき、前記充電量に対応した個数の照明部のみを点灯させた状態にすることを特徴とする照明器具。
【請求項４】
請求項１又は２記載の照明器具において、
前記制御手段は、前記複数個の照明部を１個ずつ順番に点灯させていくことによって全数点灯させてから、１個ずつ順番に消灯させていき、前記充電量に対応した個数の照明部のみを点灯させた状態にすることを特徴とする照明器具。
【請求項５】
充電可能な二次電池を備えた電子機器において、
発光する複数個の発光部と、
前記二次電池の充電量を検出し、検出した充電量に対応した個数の前記発光部を点灯させる制御手段と、
を含み、
前記制御手段は、前記複数個の発光部を全数点灯させてから、１個ずつ順番に消灯させていき、前記充電量に対応した個数の発光部のみを点灯させた状態にすることを特徴とする電子機器。
【請求項６】
充電可能な二次電池を備えた電子機器において、
発光する複数個の発光部と、
前記二次電池の充電量を検出し、検出した充電量に対応した個数の前記発光部を点灯させる制御手段と、
を含み、
前記制御手段は、前記複数個の発光部を１個ずつ順番に点灯させていくことによって全数点灯させてから、１個ずつ順番に消灯させていき、前記充電量に対応した個数の発光部のみを点灯させた状態にすることを特徴とする電子機器。
【考案の詳細な説明】
【技術分野】
【０００１】
本考案は、二次電池の充電量を表示することが可能な照明器具に関する。
【背景技術】
【０００２】
本体内に二次電池（充電池と呼ぶ場合もある）を備え、外部から電力を充電し、その充電した電力で動作する装置は広く利用されている。例えば、携帯電話や、スマートフォンなどが挙げられよう。また、携帯型照明器具等でも、二次電池を備えているものも多く知られている。
このような二次電池の現在の充電量は、その電子装置の今後の稼働時間等を知る上で重量な指標である。そのため、様々な電子装置において、充電量（充電の残量）を操作者に表示する手段や装置が、種々提案され、また利用されている。
【０００３】
先行技術文献
下記特許文献１には、二次電池の充電時の充電レベルを色で表示する技術が開示されている。特に、カラー液晶を用いて、充電量を視覚的に表示する技術が開示されている。
【０００４】
また、下記特許文献２には、二次電池の携帯型充電装置が開示されている。この携帯型充電装置は、二次電池の電圧や電流を検出して、二次電池の充電終了を判定して、対応する充電表示をすることを特徴とする。この結果、携帯型でありながら、充電終了を知ることが可能である。
【先行技術文献】
【特許文献】
【０００５】
【特許文献１】特開２００１−１７７９９９号公報
【特許文献２】特開平１０−２１０６７３号公報
【考案の概要】
【考案が解決しようとする課題】
【０００６】
しかしながら、充電量を色で表示する方法では、多段階の充電量を細かく表示するには限界がある。
【０００７】
また、携帯型の電子機器においては、充電量の表示のために大きな表示部分を設けることは困難である。広い表示面積を有する液晶ディスプレイ等を備える事ができれば、充電量に関して詳細な情報を、操作者に対して表示することも可能である。しかし、小型のポータブル電子機器、懐中電灯等の小型携帯電子機器等では、広い面積の表示手段を備える事は困難である。
【０００８】
本考案は、係る課題に鑑み、なされたものであり、その目的は、特に、懐中電灯等の携帯型照明器具において、より簡単な構成で、二次電池の充電量を利用者に知らせることが可能な携帯型照明器具を提供することである。
【課題を解決するための手段】
【０００９】
上述したように、本願考案者は、特に充電可能な二次電池を利用した携帯型照明器具において、その充電量を簡単な構成で利用者に提供することが可能な仕組みを鋭意研究を行った。そのような研究の結果、本願考案者は、その照明器具の照明部材そのものを用いて、利用者に充電量を知らせる仕組みを達成するに至ったものである。
具体的には、本願考案は、以下の構成を採用する。
【００１０】
（１）本考案は、上記課題を解決するために、発光する複数個の照明部と、前記照明部に発光のため電力を供給する、充電可能な二次電池と、前記二次電池の充電量を検出し、検出した充電量に対応した個数の前記照明部を点灯させる制御手段と、を含むことを特徴とする照明器具である。
【００１１】
（２）本考案は、上記（１）記載の照明器具において、前記制御手段は、前記検出した充電量に比例した個数の前記照明部を点灯させることを特徴とする照明器具である。
【００１２】
（３）本考案は、上記（１）又は（２）記載の照明器具において、前記制御手段は、前記複数個の照明部を全数点灯させてから、１個ずつ順番に消灯させていき、前記充電量に対応した個数の照明部のみを点灯させた状態にすることを特徴とする照明器具である。
（４）本考案は、上記（１）又は（２）記載の照明器具において、前記制御手段は、前記複数個の照明部を１個ずつ順番に点灯させていくことによって全数点灯させてから、１個ずつ順番に消灯させていき、前記充電量に対応した個数の照明部のみを点灯させた状態にすることを特徴とする照明器具である。
【００１３】
（５）本考案は、上記課題を解決するために、充電可能な二次電池を備えた電子機器において、発光する複数個の発光部と、前記二次電池の充電量を検出し、検出した充電量に対応した個数の前記発光部を点灯させる制御手段と、を含み、前記制御手段は、前記複数個の発光部を全数点灯させてから、１個ずつ順番に消灯させていき、前記充電量に対応した個数の発光部のみを点灯させた状態にすることを特徴とする電子機器である。
（６）本考案は、上記課題を解決するために、充電可能な二次電池を備えた電子機器において、発光する複数個の発光部と、前記二次電池の充電量を検出し、検出した充電量に対応した個数の前記発光部を点灯させる制御手段と、を含み、前記制御手段は、前記複数個の発光部を１個ずつ順番に点灯させていくことによって全数点灯させてから、１個ずつ順番に消灯させていき、前記充電量に対応した個数の発光部のみを点灯させた状態にすることを特徴とする電子機器である。
【考案の効果】
【００１４】
本願考案の照明器具によれば、充電量に対応した個数の照明部を点灯させることができるので、充電量を表示するための特別な手段を備えさせる必要が無く、簡易な構成で利用者は充電量を知ることが可能となる。
【００１５】
また、本願考案の電子機器によれば、全ての発光部を一旦全部点灯させてから、充電量に対応した個数になるまで、発光部を順次消灯させた。その結果、利用者は、二次電池の充電量が最大充電量と比較してどの程度の割合かを、より直感的に把握することが可能となる。
【図面の簡単な説明】
【００１６】
【図１】本実施の形態に係る携帯型照明器具の正面図（概観図）である。
【図２】本実施の形態に係る携帯型照明器具の裏面図である。
【図３】本実施の形態に係る携帯型照明器具の機能ブロック図である。
【図４】本実施の形態に係る携帯型照明器具の動作を説明する説明図である。
【考案を実施するための形態】
【００１７】
以下、本考案の好適な実施の形態を、図面に基づき説明する。
【００１８】
Ａ．携帯型照明器具１０の構成
図１には、本実施の形態にかかる携帯型照明器具１０の概観図が示されている。図に示すように、携帯型照明器具１０の本体１２は、おおよそ八角形の板状の形態であり、その表面には、１０個の発光部１４ａ、１４ｂ、１４ｃ、１４ｄ、１４ｅ、１４ｆ、１４ｇ、１４ｈ、１４ｉ、１４ｊ、が円周状に配置されている（図１参照）。この発光部１４が発光することによって、照明器具として動作するものである。この携帯型照明器具１０は、図示されていない二次電池を内蔵しており、その二次電池からの電力供給を受けて、発光部１４が発光する。照明部１４は、ＬＥＤを用いることが好適であるが、他の発光手段を用いても良い。
【００１９】
携帯型照明器具１０は、上記二次電池を充電するための手段として、充電端子１６を備えている。この充電端子１６はＵＳＢ端子であり、ＵＳＢ端子の電源ラインを電源として利用するものである。すなわち、充電端子１６はＵＳＢケーブル（不図示）を介して外部のＵＳＢ端子を備えたコンピュータ等に接続される。
【００２０】
また、携帯型照明器具１０は、上記二次電池を充電するための他の手段として、太陽電池を本体１２の裏面に備えている。この様子が図２に示されている。図２に示すように、本体１２の裏面には、二次電池を充電するための太陽電池２２が設けられており、その中央部付近にはスイッチ２０が設けられている。このスイッチは携帯型照明器具１０の動作を制御するスイッチである。
【００２１】
また、携帯型照明器具１０の左右部に、リング状部材１８ａ、１８ｂが設けられている。この２個のリング部材１８ａ、１８ｂには、図示されていないストラップが貫通し、取り付けられる。このストラップによって、携帯型照明器具１０を利用者の首にかけたり、腕に巻き付けたりすることが可能である。このようにして、利用者の体に取り付けて懐中電灯として用いることは、本携帯型照明器具１０の基本的な利用形態の一つである。その他、携帯型照明器具１０を、机上に載置することによって、いわゆる机上型の照明器具として使用することも可能であり、このような使い方も、本携帯型照明器具１０の基本的な利用形態の一つである。
【００２２】
図３には、本携帯型照明器具１０の機能ブロック図が示されている。制御回路３０は、本体１２内に内蔵されている回路であり、図１や図２では不図示である。この制御回路３０には、二次電池３２が接続されており、制御回路３０は、この二次電池３２の充電動作、放電動作を制御している。制御回路３０には、二次電池３２向けの電力を供給する手段として、上述した充電端子１６と、太陽電池２２と、が接続されている。制御回路３０はいずれかの手段を用いて、二次電池３２への充電を所定のタイミングで行う。
【００２３】
二次電池３２は、例えばLi-ion電池等が好適であるが、リチウムポリマー電池でも良いし、ニッケル水素電池でも良い。その他種々の二次電池を利用可能である。
【００２４】
制御回路３０には、またスイッチ２０が接続されている。利用者はこのスイッチ２０を押下することによって、この携帯型照明器具１０の動作を制御することができる。そして、制御回路３０には、照明部１４が接続されている。制御回路３０は、二次電池３２からの電力を適宜照明部１４に供給することによって、照明部１４を発光させ、携帯型照明器具１０を、照明器具として動作させる。
【００２５】
Ｂ．携帯型照明器具１０の好適な動作例
以下、この携帯型照明器具１０の使用方法とともに、携帯型照明器具１０の動作の説明を行う。
【００２６】
（１）利用者は、電源ＯＦＦ状態（スタンバイ状態とも呼ぶ）から、スイッチを押下する回数によって、携帯型照明器具１０を下記のような所定のモードに移行させることが可能である。
・１回押下  −  通常点灯モード
・２回押下  −  充電量表示モード
・３回押下  −  通信モード
・８回押下  −  任意点滅モード
【００２７】
１回押下とは、利用者が１回スイッチ２０を押下することをいう。２回押下とは、いわゆるダブルクリックのように、利用者が短い時間間隔でスイッチ２０を連続して２回押下することを言う。また、３回押下とは、２回押下と同様に、利用者が短い時間間隔で、連続して３回、スイッチ２０を押下することをいう。８回押下も同様に、利用者が８回連続してスイッチを押下することである。
【００２８】
なお、いずれのモードからも、利用者がスイッチ２０を１回押下することによって、スタンバイ状態（非動作状態、電源ＯＦＦ状態）に移行する。
以下、それぞれのモードを説明する。
【００２９】
（１ａ）通常点灯モード
通常点灯モードでは、所定の輝度で、１０個の照明部１４が全て点灯する。照明器具、懐中電灯として使用する場合のモードである。なお、このモードでは輝度の調整・設定が可能である。この通常点灯モード下で、利用者がスイッチ２０を長押しすると、輝度が滑らかに変化するサブモードに移行する。照明部１４が所望の輝度になった場合に、利用者がスイッチ２０を離すと、輝度変化が停止し、その輝度での点灯が続行される。また、その輝度の値は、同時に、制御回路３０内のメモリに記憶され、次回の点灯時にもその調整・設定した輝度で、再び照明部１４は点灯する。
【００３０】
（１ｂ）充電量表示モード
充電量表示モードでは、二次電池の充電量を表示する。本実施の形態の携帯型照明器具１０の制御回路３０は、二次電池の充電をコントロールしており、二次電池の充電量を検出している。そして、本充電量表示モードでは、その充電量を表示する。すなわち、制御回路３０は、請求の範囲の制御手段の好適な一例に相当するものであり、以下説明する点灯・消灯の制御は制御回路３０が実行する。
【００３１】
制御回路３０は、この充電量表示モードに移行した場合、まず、１０個全ての照明部１４ａ、１４ｂ、１４ｃ、１４ｄ、１４ｅ、１４ｆ、１４ｇ、１４ｈ、１４ｉ、１４ｊを点灯させる。この様子が図４（１）に示されている。このように、１０個の照明部１４を全数点灯するやり方は、種々考えられる。例えば、一度に全数点等することも好適であるし、１個ずつ順番に点灯していくことによって全数点灯させることも好適である。また、ゆっくりと輝度が滑らかに増加していくように構成しても良いし、瞬間的に１００％の輝度となっても良い。
【００３２】
その後、所定時間経過後、上記検出した充電量に比例した個数だけ照明部を点灯させ、残りの照明部１４は消灯させる。例えば、充電量に比例した個数をｎ個とすると、１０−ｎ個の照明部を消灯させ、残りのｎ個の照明部１４の点灯状態は維持するのである。この様子が図４（２）に示されている。
【００３３】
図４に示された例では、図４（１）において、１０個全部が点灯している様子が示されており、図４（２）では、６個の照明部１４ａ、１４ｂ、１４ｃ、１４ｄ、１４ｅ、１４ｆが点灯しており、一方、残りの４個の照明部１４ｇ、１４ｈ、１４ｉ、１４ｊは消灯している。これによって、充電量が６０％であることを表示しているのである。
【００３４】
図４（１）の状態から、図４（２）の状態へ移行する場合、まず、照明部１４ｊを消灯させ、次に、照明部１４ｉを消灯させる。次に、照明部１４ｈを消灯させ、最後に照明部１４ｇを消灯させる。このように、１個１個順番に消灯させていけば、何個消灯したのかを、利用者は容易に認識することができ、現在の充電量がどの程度であるのかを容易に直感的に知ることが可能である。
【００３５】
このように、本実施の形態では、一旦、全数点灯状態から、充電量に比例した個数の点灯状態に、点灯状態を移行させているため、利用者は、現在の充電量が、全充電量の何割に相当するのか、その割合を直感的に知ることが可能である。特に、この点灯状態に移行において、１個ずつ消灯させていくことによって、最終的に充電量に対応した個数の点灯状態に移行させている。
【００３６】
なお、本実施の形態では、全数点灯状態（図４（１））を数秒間維持しているが、これは何秒でもかまわない。０．１秒でも良いし、１０秒程度でもよいが、通常は２〜３秒程度が一般には好ましいであろう。また、１個１個順番に消灯する場合、その消灯する時間の間隔もどのような時間間隔でも良い。
【００３７】
他の表示形態
上記本実施の形態では、一旦、全数点灯状態から、充電量に比例した個数の点灯状態に移行させたが、最初から充電量に比例した個数の点灯状態としてもよい。
【００３８】
また、上記本実施の形態では、充電量に比例した個数の点灯状態で、充電量を表示したが、必ずしも、充電量に比例しなくても、二次電池の解放電圧に比例させても良いし、また、充電量の対数に対応させた個数とすることも好適である。充電量に対応した個数であればどのような個数で照明部を点灯させても良い。その他、用途に応じた様々な表示態様を採用する事が可能である。
【００３９】
また、本実施の形態では、主として照明部１４が１０個の場合を例として説明したが、他の個数でも良い。
【００４０】
（１ｃ）通信モード
この通信モードでは、制御回路３０は、所定のパターンで、照明部１４を点灯させる。これによって、例えば、野外において、グループ内の他のメンバーに所定のメッセージを送ることができる。
（１ｄ）任意点滅モード
この任意点滅モードとは、利用者がスイッチ２０を押下している場合に点灯させ、スイッチ２０を押下していない場合には消灯させるようなモードである。したがって、任意点滅モードにおいては、任意のタイミングで点灯／消灯させることができる。
【００４１】
（２）
このように、本実施の形態では、照明器具としての機能を達成するための本質的な手段である照明部１４を用いて、現在の二次電池の充電量の表示を行った。そのため、充電量の表示のための新たな手段を備える必要が無く、より簡単な構成で充電量の表示を行うことが可能となる。特に、一旦、照明部１４を全数点灯させてから、充電量に対応した個数の照明部１４が点灯する状態へと、移行させたので、利用者はより直感的に充電量の割合を把握することができる。
【００４２】
Ｃ．応用
本件の考案で特に特徴的な点は、上記充電量表示モードである。このような充電量表示モードの上記動作は、他の機器にも応用可能である。以下、説明する。
【００４３】
（１）上記実施の形態では、携帯型照明器具１０を例として、充電量表示モードの動作を説明したが、携帯型ではない、一般的な照明器具にもこのような仕組み（構成）・動作を適用することができることは言うまでもない。
【００４４】
（２）上記実施の形態、及び（１）では、携帯型照明器具１０や、一般的な照明器具の例について、充電量表示モードの動作を説明したが、照明器具ではない一般的な電子機器に応用することも好適である。
【００４５】
二次電池を備えた電子機器の中には、照明とは言えないが、所定のインジケータとしての発光部を複数個有する電子機器も存在する。そのような複数の発光部を備えた電子機器であれば、上記説明した充電量表示モードの動作を適用することも好適である。この場合、上記実施の形態で述べた照明部１４と同様の働きを、発光部が担うことになる。
【符号の説明】
【００４６】
１０  携帯型照明器具
１２  本体
１４、１４ａ、１４ｂ、１４ｃ、１４ｄ、１４ｅ  照明部
１４ｆ、１４ｇ、１４ｈ、１４ｉ、１４ｊ  照明部
１６  充電端子
１８ａ、１８ｂ  リング状部材
２０  スイッチ
２２  太陽電池
３０  制御回路
３２  二次電池
【図１】
0003195209.tif 000003
【図２】
0003195209.tif 000004
【図３】
0003195209.tif 000005
【図４】
0003195209.tif 000006